(57)【要約】【課題】電子メールを送信した後、送信した通信装置の傍にいなくても、送達結果を確認できる電子メール通信装置を提供する。【解決手段】電子メールを他の装置に対し送信する機能と、受信する機能との少なくともいずれか一方の機能を持つＮＷ対応部と、電子メールの送達結果通知機能を持つ送達結果通知部と、電話発呼を行う電話通知部とを具備し、送達結果メール抽出部において抽出した送達結果または、開封通知メールが送信メール情報記憶部に記憶させておいた送信メールの情報と一致した場合、送信した電子メールの送達結果を予め通知先登録部に登録しておいた出先の通知先へ電子メール通知または、音声通知することを特徴とする。また、タイマー機能も有し、予め定められた時間が経過し、送達メールが開封されたことを通知する送達結果メールを受信しない場合にも通知を行う。【選択図】  図１
2012108687.tif 000002
【特許請求の範囲】
【請求項１】
送信した電子メールの送達結果に係る情報を所定の宛先に通知する電子メール通信装置であって、
電子メールを送受信する電子メール送受信手段と、送信した電子メールに係る情報を記憶しておく送信メール情報記憶手段と、送信した電子メールが送達されなかったことまたは前記電子メールが送達されたこともしくは前記電子メールが開封されたことを通知する送達結果メールを送信先または送信先に係る電子メールサーバから受信する送達結果メール受信手段と、を有し、
前記送達結果メール受信手段が前記送信メール情報記憶手段に記憶されている送信メール情報のいずれかに対応する送達結果メールを受信した場合に、予め登録されている通知先へ、前記送達結果に係る情報を自動的に電子メールまたは電話で通知することを特徴とする送達結果通知機能を有する電子メール通信装置。
【請求項２】
請求項１に記載の電子メール通信装置であって、
予め定められた時間が経過しても、前記送達結果メール受信手段が、前記送信した電子メールが開封されたことを通知する送達結果メールを受信しない場合に、予め登録されている通知先へ、未開封である旨の情報を自動的に電子メールまたは電話で通知することを特徴とする送達結果通知機能を有する電子メール通信装置。
【発明の詳細な説明】
【技術分野】
【０００１】
本発明は、電子メールを送受信する通信装置において、特に、送達結果通知機能を有する電子メール通信装置に関するものである。
【背景技術】
【０００２】
電子メールは、送信する側が受信側の相手へ一方的に電子メールを送信するので、送信した電子メールが相手に届いたのか否か、または相手が電子メールを開封したか否かを送信側で確認することが面倒であった。
【０００３】
これを解決する手段として、電子メールの送達確認ができるシステムに関する技術がある（例えば、特許文献１）。
【先行技術文献】
【特許文献】
【０００４】
【特許文献１】特開２００８−１９７８８０号公報
【発明の概要】
【発明が解決しようとする課題】
【０００５】
しかしながら、特許文献１に記載された技術は、電子メールを送信した通信装置へ送達結果を通知するので、送達結果を確認するまで送信した端末の傍から離れられないという不都合があった。
【０００６】
そこで、本発明の課題は、電子メールを送信した後、送信した通信装置の傍にいなくても、送達結果を確認できる電子メール通信装置を提供することにある。
【課題を解決するための手段】
【０００７】
上記課題を解決するために、第１の発明は、送信した電子メールの送達結果に係る情報を所定の宛先に通知する電子メール通信装置であって、電子メールを送受信する電子メール送受信手段と、送信した電子メールに係る情報を記憶しておく送信メール情報記憶手段と、送信した電子メールが送達されなかったことまたは前記電子メールが送達されたこともしくは前記電子メールが開封されたことを通知する送達結果メールを送信先または送信先に係る電子メールサーバから受信する送達結果メール受信手段と、を有し、前記送達結果メール受信手段が前記送信メール情報記憶手段に記憶されている送信メール情報のいずれかに対応する送達結果メールを受信した場合に、予め登録されている通知先へ、前記送達結果に係る情報を自動的に電子メールまたは電話で通知することを特徴とする。
【０００８】
また第２の発明は、上記第１の発明の電子メール通信装置であって、予め定められた時間が経過しても、前記送達結果メール受信手段が、前記送信した電子メールが開封されたことを通知する送達結果メールを受信しない場合に、予め登録されている通知先へ、未開封である旨の情報を自動的に電子メールまたは電話で通知することを特徴とする。
【発明の効果】
【０００９】
本発明によれば、予め登録しておいた出先等の通知先へ受信した送達結果を転送するので、送信者は電子メールを送信した通信装置の傍にいなくても、送信した電子メールの送達結果を出先の携帯電話等で確認できる。
【図面の簡単な説明】
【００１０】
【図１】本発明によるメール通信装置のブロック構成である。
【図２】本発明によるメール通信装置のメール送信の動作フロ−である。
【発明を実施するための形態】
【００１１】
以下、図を用いて本発明の実施例を説明する。
【００１２】
図１は、本発明によるメール通信装置のブロック構成を示す図で、メール送信先端末１
と本発明によるメール通信装置３と送達結果転送先端末４がネットワーク２を介して接続されている。                                                                                                    
メール通信装置３は、メール送信先１に電子メールを送信する場合、送信メール生成部３０９で作成したメールを電子メール送信部３０６において送信処理し、ネットワークと接続するＮＷ対応部３０１からネットワーク２を介して送信する。また、電子メール送信部３０６で送信メールに関する宛先、タイトル、メール本文、送信時間の情報を送信メール情報記憶部３０７に記憶させておくことができる。
【００１３】
メール送信先１に送信したメールの送達結果が送られてきた場合、電子メール受信部３０２で受信する。その際、メールが送達結果に関するメールだった場合、送達結果メール抽出部３０５で送達結果メールを抽出する。抽出した送達結果メールは、送達結果通知部３０４に送られる。送達結果メールを受け取った送達結果通知部３０４は、送信メール情報記憶部３０７に記憶している送信メールと一致するものがあるか照合し、一致するメールがある場合、通知先登録部３０８に予め登録されている送達結果通知先４へ送達結果メールの通知処理を行う。送達結果通知先４への通知手段が電子メール通知に設定されている場合は、送達結果メールを電子メール送信部３０６より電子メールで送信する。電話発呼に設定されている場合は、送達結果を電話通知部３０３より電話発呼し、通知する。
【００１４】
図２は、図１におけるメール通信装置３の電子メール送信時の一連のフローチャート図である。
【００１５】
メール通信装置３からネットワーク２を介してメール送信先端末１へ電子メールを送信する場合（Ｓ２０２）、送信した電子メールの送達結果通知を要求するか設定し（Ｓ２０３）、要求する場合は、送信メールの宛先、タイトル、メール本文、送信時間情報を送信情報記憶部３０７で記憶する。記憶させた送信メール情報からキーワードを抽出し、通知先メールアドレスまたは、電話番号を検索し、送信メール情報と対応させる（Ｓ２０５）。設定しない場合は、送信メール情報の記憶、通知先アドレスへの対応はしない。また、メール送信先１に送った電子メールに対して開封通知要求も設定も可能であり、設定した場合は、送信メールに対してタイマーを起動させ（Ｓ２０７）、通常のメール送信処理（Ｓ２１５）を行う。
【００１６】
開封通知要求（Ｓ２０６）を設定しない場合は、タイマーを起動せずに通常のメール送信処理（Ｓ２１５）を行う。
【００１７】
ネットワーク２を介して受信したメール（Ｓ２０８）が、送達結果または、開封通知メールを受信した場合（Ｓ２０９）は、受信した送達結果メールに対応する送信元アドレス、タイトル、メール本文を送達結果メール抽出部３０５で抽出する（Ｓ２１０）。
【００１８】
送達結果または開封通知メールではない場合は、通常のメール受信動作として、受信メール蓄積部３１３に蓄積する（Ｓ２１７）。
【００１９】
前記受信した送達結果メールから抽出した送信先アドレス、タイトル、メール本文が送信メール情報記憶部３０７で記憶した送信メール情報と対応しているか照合する（Ｓ２１１）。記憶した送信メール情報と対応し、送達結果通知要求が設定されている場合（Ｓ２１２）は、予め通知先登録部３０８に登録されている送達結果通知先４に送達結果を通知する。
【００２０】
送達結果通知先４に送達結果を通知する際に、通知手段が電子メール通知（Ｓ２１３）の場合は、送達結果通知部３０４において、送達結果通知メールを生成し（Ｓ２１４）、送信する。
【００２１】
電子メール通知ではなく電話通知の場合は、電話発呼処理（Ｓ２１８）し、送達結果を音声通知する（Ｓ２１９）。
【００２２】
また、設定したタイマーが満了（Ｓ２１６）した送信メールの送達結果通知は、前記同様、通知先登録部に登録している送達結果通知先４にメール通知または、電話通知を行う。                                                                                                                                    
なお、上記実施例の説明にあたって、通常のメール作成、送受信に係るハードウエアや動作フローの図示、および動作説明は省略した。
【符号の説明】
【００２３】
１；メール送信先
２；ネットワーク
３；本発明によるメール通信装置
４；送達結果通知先
３０１；ＮＷ対応部
３０２；電子メール受信部
３０３；電話通知部
３０４；送達結果通知部
３０５；送達結果メール抽出部
３０６；電子メール送信部
３０７；送信メール情報記憶部
３０８；通知先登録部
３０９；送信メール生成部
３１０；端末制御部
３１１；ＫＢ部
３１２；表示部
３１３：受信メール蓄積部
【図１】
2012108687.tif 000003
【図２】
2012108687.tif 000004